(57)【要約】      （修正有）【課題】カーボンブラックと分散剤と有機溶剤を含む組成物中のカーボンブラックの定量について、精確な分析値を得ることができる定量分析法を提供する。【解決手段】カーボンブラックと分散剤と有機溶剤を含む組成物のカーボンブラックの定量方法として、カーボンブラックと分散剤と有機溶剤を含む組成物の重量を秤量（Ｗ１）したのち、秤量した当該組成物を減圧乾燥して、当該組成物中の有機溶剤を揮散除去し、得られた乾燥物の重量を秤量（Ｗ２）し、秤量した乾燥物と、当該組成物に使用されている分散剤単体を有機元素分析法で、当該乾燥物中の炭素（Ｃ１）および水素（Ｈ１）ならびに分散剤単体の炭素（Ｃ２）および水素(Ｈ２)の含有率(ｗｔ)をそれぞれ算出し、当該乾燥物中の分散剤由来の炭素（Ｃ３）の含有率、当該乾燥物中のカーボンブラック由来の炭素（Ｃ４）の含有率を算出して、これらをもとにカーボンブラックの含有率（Ｃ５）を算出する。【選択図】  なし【特許請求の範囲】
【請求項１】
カーボンブラックと分散剤と有機溶剤を含む組成物のカーボンブラックの定量方法において、
カーボンブラックと分散剤と有機溶剤を含む組成物の重量を秤量（Ｗ１）したのち、秤量した当該組成物を減圧乾燥して、当該組成物中の有機溶剤を揮散除去し、得られた乾燥物の重量を秤量（Ｗ２）し、秤量した乾燥物と、当該組成物に使用されている分散剤単体を有機元素分析法で、当該乾燥物中の炭素（Ｃ１）および水素（Ｈ１）ならびに分散剤単体の炭素（Ｃ２）および水素(Ｈ２)の含有率(ｗｔ)をそれぞれ算出し、下記の式1によって、当該乾燥物中の分散剤由来の炭素（Ｃ３）の含有率を算出し、下記の式２によって、当該乾燥物中のカーボンブラック由来の炭素（Ｃ４）の含有率を算出し、下記の式3によって、当該組成物中のカーボンブラックの含有率（Ｃ５）を算出する、
式１：Ｃ３＝Ｃ２×（Ｈ１／Ｈ２）
式２：Ｃ４＝Ｃ１−Ｃ３
式３：Ｃ５＝（Ｗ２×Ｃ４／１００）×１００／Ｗ１
ことを特徴とするカーボンブラックの定量方法。
【請求項２】
分散剤が、１成分からなることを特徴とする請求項１に記載のカーボンブラックの定量方法。
【請求項３】
カーボンブラックと分散剤と有機溶剤を含む組成物のカーボンブラックの定量方法において、
分散剤が、分散剤１と分散剤２の２成分からなり、分散剤１が炭素と水素と窒素からなる分散剤であり、分散剤２が炭素と水素と硫黄からなる分散剤であって、カーボンブラックと前記分散剤２成分と有機溶剤を含む組成物の重量を秤量（Ｗ３）したのち、秤量した当該組成物を減圧乾燥して、当該組成物中の有機溶剤を揮散除去し、得られた乾燥物の重量を秤量（Ｗ４）し、秤量した当該乾燥物と、当該組成物に使用されている分散剤単体を有機元素分析法で、当該乾燥物中の炭素（Ｃ６）と窒素（Ｎ１）と硫黄（Ｓ１）ならびに分散剤１の炭素（Ｃ７）と窒素（Ｎ２）および分散剤２の炭素（Ｃ８）と硫黄（Ｓ２）の含有率(ｗｔ)をそれぞれ算出し、下記の式４によって、当該乾燥物中の分散剤１由来の炭素（Ｃ９）の含有率を算出し、下記の式５によって、当該乾燥物中の分散剤２由来の炭素（Ｃ１０）の含有率を算出し、下記の式６によって、当該乾燥物中のカーボンブラック由来の炭素（Ｃ１１）の含有率を算出し、下記の式７によって、当該組成物中のカーボンブラックの含有率（Ｃ１２）を算出する、
式４：Ｃ９＝Ｃ７×（Ｎ１／Ｎ２）
式５：Ｃ１０＝Ｃ８×（Ｓ１／Ｓ２）
式６：Ｃ１１＝Ｃ６−（Ｃ９＋Ｃ１０）
式７：Ｃ１２＝（Ｗ４×Ｃ１１／１００）×１００／Ｗ３
ことを特徴とするカーボンブラックの定量方法。
【請求項４】
試料採取容器が、密閉容器であることを特徴とする請求項１または請求項３に記載のカーボンブラックの定量方法。
【請求項５】
有機元素分析法が、燃焼部とガスクロマトグラフ部からなる有機元素分析法であることを特徴とする請求項１または請求項３に記載のカーボンブラックの定量方法。
【請求項６】
有機溶剤の沸点が１３０°Ｃ以下であることを特徴とする請求項１または請求項３に記載のカーボンブラックの定量方法。
【発明の詳細な説明】
【技術分野】
【０００１】
本発明は、カーボンブラックと分散剤と有機溶剤を含む組成物中のカーボンブラックの定量方法に関するものである。更に詳しくは、有機元素分析法を用いて、カーボンブラックを精確に定量する分析方法に関するものである。
【背景技術】
【０００２】
カーボンブラックと分散剤と有機溶剤を含む組成物は、熱線遮蔽用のインクなどに汎用的に用いられている。特にインク中のカーボンブラックの含有率（ｗｔ％）は、有機溶剤の分散度合やインクを塗布したときのレベリング性に影響するため、インク中のカーボンブラックの含有率を精確に品質管理することが必要である。
【０００３】
これまで、カーボンブラックの定量方法としては、加硫ゴム中のカーボンブラックの定量方法が、ＪＩＳ  Ｋ  ６５３０−１９７６（非特許文献１）に規格として採用されており、また、上記定量方法については、新版高分子ハンドブック（非特許文献２）や特開平１１−２８１５５６号公報（特許文献１）にも記載されている。しかし、カーボンブラックと分散剤と有機溶剤を含む組成物であるインク中のカーボンブラックの定量方法は、未だ規格として確立されたものはない。
【０００４】
例えば、上記の非特許文献１および非特許文献２に記載されている加硫ゴム中のカーボンブラックの定量方法として、熱分解法、硝酸分解法および熱重量分析法がある。上記定量方法はいずれも熱減量を測定することを基本原理とした方法である。熱分解法と硝酸分解法の違いは、ゴム成分の種類によって、前処理方法が異なるだけである。また、熱重量分析法では、ゴム成分の種類に関係なく、加硫ゴム中のカーボンブラックの定量が可能である。
【０００５】
熱分解法および硝酸分解法と熱重量分析法の違いは、熱減量の測定方法が異なるだけである。熱分解法や硝酸分解法では、熱減量測定を天秤で測定するのに対し、熱重量分析法では、熱天秤で熱減量を測定するため、リアルタイムで熱減量が測定でき、また、自動測定が可能である。したがって、現状では、熱重量分析法で加硫ゴム中のカーボンブラックを定量するのが、最も一般的である。
【０００６】
代表的な例として、熱重量分析法について述べれば、試料中のゴム成分と有機添加剤成分を窒素雰囲気下で熱分解して除去したのち、更にカーボンブラックを空気雰囲気下に変えて、完全燃焼し、その完全燃焼したときの熱減量を元に試料中のカーボンブラックの含有率を算出する方法である。
【特許文献１】特開平１１−２８１５５６号公報
【非特許文献１】ＪＩＳ  Ｋ  ６５３０−１９７６
【非特許文献２】新版高分子ハンドブック（紀伊國屋書店）
【発明の開示】
【発明が解決しようとする課題】
【０００７】
しかし、上記方法（熱分解法および硝酸分解法と熱重量分析法）を、カーボンブラックと分散剤と有機溶剤を含む組成物であるインク中のカーボンブラックの定量に適用しても精確な分析値が得られない。その理由として、上記方法では、試料採取時にインク中の有機溶剤が揮散してしまい、精確な試料重量を秤量することが困難なことがある。また、インク中の分散剤成分の種類によっては、窒素雰囲気下での熱分解では完全に分散剤を除去できないため、空気雰囲気下に変えて、カーボンブラックを燃焼したとき残留する分散剤も一緒に燃焼されてしまい、カーボンブラックの定量値に正の誤差が生じるためである。
【０００８】
本発明は、上記問題を解決し、カーボンブラックと分散剤と有機溶剤を含む組成物中のカーボンブラックの定量について、精確な分析値を得ることができる定量分析法を提供することを目的とする。
【課題を解決するための手段】
【０００９】
本発明者は、上記課題を解決するため、カーボンブラックと分散剤と有機溶剤を含む組成物の重量を秤量（Ｗ１）したのち、秤量した当該組成物を減圧乾燥して、当該組成物中の有機溶剤を揮散除去し、得られた乾燥物の重量を秤量（Ｗ２）し、秤量した乾燥物と、当該組成物に使用されている分散剤単体のそれぞれについて、有機元素分析法を用いて、当該乾燥物中の炭素（Ｃ１）および水素（Ｈ１）、ならびに分散剤単体の炭素（Ｃ２）および水素(Ｈ２)の含有率(ｗｔ)をそれぞれ算出し、下記の式1によって、当該乾燥物中の分散剤由来の炭素（Ｃ３）の含有率を算出し、下記の式２によって、当該乾燥物中のカーボンブラック由来の炭素（Ｃ４）の含有率を算出し、下記の下記の式３によって、当該組成物中のカーボンブラックの含有率（Ｃ５）を算出するカーボンブラックの定量方法を用いることによって、カーボンブラックと分散剤と有機溶剤を含む組成物中のカーボンブラックを精確に定量できることを見出し、本発明に至った。
【００１０】
式１：Ｃ３＝Ｃ２×（Ｈ１／Ｈ２）
式２：Ｃ４＝Ｃ１−Ｃ３
式３：Ｃ５＝（Ｗ２×Ｃ４／１００）×１００／Ｗ１
すなわち、本発明の第１の発明は、カーボンブラックと分散剤と有機溶剤を含む組成物のカーボンブラックの定量方法において、
カーボンブラックと分散剤と有機溶剤を含む組成物の重量を秤量（Ｗ１）したのち、秤量した当該組成物を減圧乾燥して、当該組成物中の有機溶剤を揮散除去し、得られた乾燥物の重量を秤量（Ｗ２）し、秤量した乾燥物と、当該組成物に使用されている分散剤単体を有機元素分析法で、当該乾燥物中の炭素（Ｃ１）および水素（Ｈ１）ならびに分散剤単体の炭素（Ｃ２）および水素(Ｈ２)の含有率(ｗｔ)をそれぞれ算出し、下記の式1によって、当該乾燥物中の分散剤由来の炭素（Ｃ３）の含有率を算出し、下記の式２によって、当該乾燥物中のカーボンブラック由来の炭素（Ｃ４）の含有率を算出し、下記の式3によって、当該組成物中のカーボンブラックの含有率（Ｃ５）を算出する、
式１：Ｃ３＝Ｃ２×（Ｈ１／Ｈ２）
式２：Ｃ４＝Ｃ１−Ｃ３
式３：Ｃ５＝（Ｗ２×Ｃ４／１００）×１００／Ｗ１
ことを特徴とするカーボンブラックの定量方法を提供する。
【００１１】
本発明の第２の発明は、分散剤が、１成分からなることを特徴とする第１の発明に記載のカーボンブラックの定量方法を提供する。
【００１２】
本発明の第３の発明は、カーボンブラックと分散剤と有機溶剤を含む組成物のカーボンブラックの定量方法において、
分散剤が、分散剤１と分散剤２の２成分からなり、分散剤１が炭素と水素と窒素からなる分散剤であり、分散剤２が炭素と水素と硫黄からなる分散剤であって、カーボンブラックと前記分散剤２成分と有機溶剤を含む組成物の重量を秤量（Ｗ３）したのち、秤量した当該組成物を減圧乾燥して、当該組成物中の有機溶剤を揮散除去し、得られた乾燥物の重量を秤量（Ｗ４）し、秤量した当該乾燥物と、当該組成物に使用されている分散剤単体を有機元素分析法で、当該乾燥物中の炭素（Ｃ６）と窒素（Ｎ１）と硫黄（Ｓ１）ならびに分散剤１の炭素（Ｃ７）と窒素（Ｎ２）および分散剤２の炭素（Ｃ８）と硫黄（Ｓ２）の含有率(ｗｔ)をそれぞれ算出し、下記の式４によって、当該乾燥物中の分散剤１由来の炭素（Ｃ９）の含有率を算出し、下記の式５によって、当該乾燥物中の分散剤２由来の炭素（Ｃ１０）の含有率を算出し、下記の式６によって、当該乾燥物中のカーボンブラック由来の炭素（Ｃ１１）の含有率を算出し、下記の式７によって、当該組成物中のカーボンブラックの含有率（Ｃ１２）を算出する、
式４：Ｃ９＝Ｃ７×（Ｎ１／Ｎ２）
式５：Ｃ１０＝Ｃ８×（Ｓ１／Ｓ２）
式６：Ｃ１１＝Ｃ６−（Ｃ９＋Ｃ１０）
式７：Ｃ１２＝（Ｗ４×Ｃ１１／１００）×１００／Ｗ３
ことを特徴とするカーボンブラックの定量方法を提供する。
【００１３】
本発明の第４の発明は、試料採取容器が、密閉容器であることを特徴とする第１の発明または第３の発明に記載のカーボンブラックの定量方法を提供する。
【００１４】
本発明の第５の発明は、有機元素分析法が、燃焼部とガスクロマトグラフ部からなる有機元素分析法であることを特徴とする第１の発明または第３の発明に記載のカーボンブラックの定量方法を提供する。
【００１５】
本発明の第６の発明は、有機溶剤の沸点が１３０°Ｃ以下であることを特徴とする第１の発明または第３の発明に記載のカーボンブラックの定量方法を提供する。
【発明の効果】
【００１６】
本発明のカーボンブラックの定量方法は、カーボンブラックと分散剤と有機溶剤を含む組成物の重量を秤量（Ｗ１）したのち、秤量した当該組成物を減圧乾燥して、当該組成物中の有機溶剤を揮散除去し、得られた乾燥物の重量を秤量（Ｗ２）し、秤量した乾燥物と、当該組成物に使用されている分散剤単体を有機元素分析法で、当該乾燥物中の炭素（Ｃ１）および水素（Ｈ１）ならびに分散剤単体の炭素（Ｃ２）および水素(Ｈ２)の含有率(ｗｔ)をそれぞれ算出し、下記の式1によって、当該乾燥物中の分散剤由来の炭素（Ｃ３）の含有率を算出し、下記の式２によって、当該乾燥物中のカーボンブラック由来の炭素（Ｃ４）の含有率を算出し、下記の式３によって、当該組成物中のカーボンブラックの含有率（Ｃ５）を算出することによって、カーボンブラックを定量するものであり、カーボンブラックと分散剤と有機溶剤を含む組成物中のカーボンブラックの含有率を精確に定量することができる。
【００１７】
式１：Ｃ３＝Ｃ２×（Ｈ１／Ｈ２）
式２：Ｃ４＝Ｃ１−Ｃ３
式３：Ｃ５＝（Ｗ２×Ｃ４／１００）×１００／Ｗ１
このため、本発明のカーボンブラックの定量方法は、インクや塗料などの工業的な生産分野の品質管理に有効である。
【発明を実施するための最良の形態】
【００１８】
本発明のカーボンブラックの定量方法は、カーボンブラックと分散剤と有機溶剤を含む組成物の重量を秤量（Ｗ１）したのち、秤量した当該組成物を減圧乾燥して、当該組成物中の有機溶剤を揮散除去し、得られた乾燥物の重量を秤量（Ｗ２）し、秤量した乾燥物と、当該組成物に使用されている分散剤単体を有機元素分析法で、当該乾燥物中の炭素（Ｃ１）および水素（Ｈ１）ならびに分散剤単体の炭素（Ｃ２）および水素(Ｈ２)の含有率(ｗｔ)をそれぞれ算出し、下記の式1によって、当該乾燥物中の分散剤由来の炭素（Ｃ３）の含有率を算出し、下記の式２によって、当該乾燥物中のカーボンブラック由来の炭素（Ｃ４）の含有率を算出し、下記の式３によって、当該組成物中のカーボンブラックの含有率（Ｃ５）を算出するという方法を用いることによって、カーボンブラックと分散剤と有機溶剤を含む組成物中のカーボンブラック量を精確に定量することができる。
【００１９】
式１：Ｃ３＝Ｃ２×（Ｈ１／Ｈ２）
式２：Ｃ４＝Ｃ１−Ｃ３
式３：Ｃ５＝（Ｗ２×Ｃ４／１００）×１００／Ｗ１
以下に本発明のカーボンブラックと分散剤と有機溶剤を含む組成物中のカーボンブラックの定量手順を説明する。
・  組成物の採取
カーボンブラックと分散剤と有機溶剤を含む組成物中の有機溶剤には、一般的にトルエン、酢酸ブチルやブタノールなどの揮発性の溶剤を使用している。このため、当該組成物の採取時には、当該組成物中の有機溶剤が揮散しないように密閉容器に採取し、当該組成物の重量を秤量することが好ましい。
【００２０】
秤量する天秤については、１００μｇまで秤量でき、かつ、小数点以下４桁を秤量できる天秤を使用することが好ましい。当該組成物の採取量としては、溶媒が揮散しても分析誤差範囲内になる程度、具体的には、０．２ｇ〜０．５ｇ採取することが好ましい。
（２）組成物の減圧乾燥
秤量した当該組成物の入った容器の蓋を外して、真空デシケータ内で減圧乾燥し、当該組物中の有機溶剤を揮散除去する。このとき、試料容器をビーカーに入れ、ビーカーの上部を時計皿で蓋することによって、減圧乾燥時の当該組成物の突沸を防ぐことができる。
【００２１】
また、本減圧乾燥は、当該組成物中の有機溶剤の沸点が１３０°Ｃ以下のものに適用することが好ましい。これは、沸点が１３０°Ｃを超える有機溶剤の場合、減圧乾燥のみでは完全に有機溶剤を揮発除去できないことがあるからである。但し、突沸が発生しないように加熱乾燥すれば、沸点が１３０°Ｃを超える有機溶剤でも揮発除去は可能である。
（３）分散剤単体の減圧乾燥
当該組成物中の分散剤には、不揮発性の高分子分散剤が一般的に使用されている。このため、原則として、当該組成物に使用されている分散剤（分散剤単体）を減圧乾燥する必要はないが、万が一、分散剤単体中に揮発性の有機溶剤が含まれている場合には、当該組成物と同様に減圧乾燥する必要がある。これは、有機元素分析法でＣおよびＨの含有率を測定する際に正の誤差となるためである。
（４）乾燥物の秤量
上記方法で減圧乾燥され得られた乾燥物の重量を秤量し、有機元素分析測定用の試料とする。このとき、当該乾燥物の重量が変化する場合、当該乾燥物中の有機溶剤が完全に揮散していないことが考えられるため、再度、減圧乾燥し、当該乾燥物の重量変化がなくなるまで減圧乾燥を繰り返すことが必要である。この操作によって、当該組成物中の有機溶剤と、カーボンブラック及び分散剤とに完全に分離することができる。
（５）有機元素分析
上記のカーボンブラック及び分散剤からなる有機元素分析測定用の試料と分散剤単体とについて、それぞれ個別に、燃焼部とガスクロマトグラフ部からなる有機元素分析装置で、ＣおよびＨの含有率を測定する。
【００２２】
元素分析装置としては、Ｃ、Ｈ、ＮおよびＳの含有率を定量可能な装置であれば良く、例えば、ＴｈｅｍｏＦｉｎｎｉｇａｎ社製ＦｌａｓｈＥＡ１１１２やパーキンエルマ製ＣＨＮＳ−２４００の有機元素分析装置などが適用可能である。
【００２３】
有機元素分析の測定条件としては、特に限定はされないが、メーカーが推奨する測定条件、すなわち、燃焼部の温度は９００°Ｃ〜１２００°Ｃ程度が好ましく、ガスクロマトグラフ部の温度は６５°Ｃ程度が好ましい。キャリアーガスとしては、Ｈｅを使用し、Ｈｅガス流量は１４０ｍｌ／ｍｉｎが好ましい。
【００２４】
燃焼ガスとしては、酸素ガスを使用し、酸素ガス流量は２５０ｍｌ／ｍｉｎで５秒間が好ましい。
【００２５】
元素分析時の試料の採取については、1ｍｇ〜２ｍｇ程度が好ましい。これは、定量の精確さに影響するためである。
【００２６】
秤量する天秤については、１μｇまで秤量でき、かつ、小数点４桁を秤量することができるマイクロ天秤を使用する必要がある。これは、元素分析時のＣ、Ｈ、ＮおよびＳの定量の精確さに影響するためである。
【００２７】
元素分析によるＣ、Ｈ、ＮおよびＳ定量用の標準試料については、メーカーが推奨するＣ、Ｈ、ＮおよびＳの含有率が既知である、例えば、スルファニルアミドを使用することが好ましい。
（６）カーボンブラックの定量−１（分散剤が１成分の場合）
上記の（１）〜（５）の操作によって得られた当該組成物の重量（Ｗ１）、当該乾燥物の重量（Ｗ２）、当該乾燥物中の炭素（Ｃ１）および水素（Ｈ１）ならびに分散剤単体の炭素（Ｃ２）および水素(Ｈ２)の含有率(ｗｔ)を用いて、当該組成物中のカーボンブラックの含有率を算出する。以下に当該組成物中カーボンブラックの含有率の算出手順について説明する。
【００２８】
当該乾燥物の炭素含有率は、カーボンブラック及び分散剤の炭素含有率であり、カーボンブラック及び分散剤の炭素含有率のうち、分散剤の炭素含有率が算出できれば、当該組成物中のカーボンブラックの含有率を算出することができる。
【００２９】
カーボンブラックの構成元素は、炭素のみであるのに対して、分散剤の構成元素は、炭素と水素である。したがって、乾燥物中の水素含有率（Ｈ１）は、当該乾燥物中の分散剤由来の水素含有率であり、分散剤単体の炭素（Ｃ２）と水素(Ｈ２)の含有率を用いて下記の式１で計算することによって、当該乾燥物中の分散剤由来の炭素含有率（Ｃ３）を算出できる。
【００３０】
式１：Ｃ３＝Ｃ２×（Ｈ１／Ｈ２）
次に、下記の式２によって、当該乾燥物中炭素含有率（Ｃ１）から当該乾燥物中の分散剤由来の炭素含有率（Ｃ３）を差し引き、当該乾燥物中のカーボンブラック由来の炭素（Ｃ４）の含有率を算出する。
【００３１】
式２：Ｃ４＝Ｃ１−Ｃ３
最後に当該組成物の重量（Ｗ１）、当該乾燥物の重量（Ｗ２）、当該乾燥物中のカーボンブラック由来の炭素含有率（Ｃ４）を下記の式３によって計算し、当該組成物中のカーボンブラック含有率（Ｃ５）を算出する。
【００３２】
式３：Ｃ５＝（Ｗ２×Ｃ４／１００）×１００／Ｗ１
（７）カーボンブラックの定量−２（分散剤が２成分の場合）
カーボンブラック、分散剤および有機溶剤を含む組成物中の分散剤が、分散剤１と分散剤２の２成分から構成されており、かつ、分散剤１が炭素と水素と窒素からなる分散剤であり、分散剤２が炭素と水素と硫黄からなる分散剤の場合の当該組成物中のカーボンブラックの定量操作について、以下に説明する。
【００３３】
上記の（１）〜（５）の操作と同様の操作を行って得られた当該組成物の重量（Ｗ３）、当該乾燥物の重量（W４）、当該乾燥物中の炭素（Ｃ６）、窒素（Ｎ１）および硫黄（Ｓ１）、ならびに分散剤単体１の炭素（Ｃ７）、窒素(Ｎ２)の含有率および分散剤２の炭素（Ｃ８）、硫黄(Ｓ２)の含有率を用いて、当該組成物中のカーボンブラックの含有率を算出する。以下に当該組成物中カーボンブラックの含有率の算出手順について説明する。
【００３４】
当該乾燥物の炭素含有率は、カーボンブラック及び分散剤１と分散剤２の炭素含有率であり、カーボンブラック及び分散剤１と分散剤２の炭素含有率のうち、分散剤１と分散剤２の炭素含有率が算出できれば、当該組成物中のカーボンブラックの含有率を算出することができる。
【００３５】
分散剤１の構成元素は、炭素、水素および窒素であり、分散剤２の構成元素は、炭素、水素および硫黄であるので、乾燥物中の窒素含有率（Ｎ１）は、当該乾燥物中の分散剤１由来の窒素含有率であり、分散剤単体１の炭素（Ｃ７）とＮ(Ｎ２)の含有率を下記の式４で計算することによって、当該乾燥物中の分散剤１由来の炭素含有率（Ｃ９）を算出できる。
【００３６】
式４：Ｃ９＝Ｃ７×（Ｎ１／Ｎ２）
また、乾燥物中の硫黄含有率（Ｓ１）は、当該乾燥物中の分散剤２由来の硫黄含有率であり、分散剤単体２の炭素（Ｃ８）と硫黄(Ｓ２)の含有率を下記の式５で計算することによって、当該乾燥物中の分散剤２由来の炭素含有率（Ｃ１０）を算出できる。
【００３７】
式５：Ｃ１０＝Ｃ８×（Ｓ１／Ｓ２）
次に下記の式６によって、当該乾燥物中炭素含有率炭素（Ｃ６）から当該乾燥物中の分散剤１由来の炭素含有率（Ｃ９）と分散剤２由来の炭素含有率を差し引き、当該乾燥物中のカーボンブラック由来の炭素（Ｃ１１）の含有率を算出する。
【００３８】
式６：Ｃ１１＝Ｃ６−（Ｃ９＋Ｃ１０）
最後に当該組成物の重量（Ｗ３）、当該乾燥物の重量（Ｗ４）、当該乾燥物中のカーボンブラック由来の炭素含有率（Ｃ１１）を下記の式７によって計算し、当該組成物中のカーボンブラック含有率（Ｃ１２）を算出する。
【００３９】
式７：Ｃ１２＝（Ｗ４×Ｃ１１／１００）×１００／Ｗ３
上記のように、本発明のカーボンブラックの定量方法を用いれば、カーボンブラックと分散剤と有機溶剤を含む組成物について、重量秤量、減圧乾燥の一般的な操作を行い、有機元素分析法で、炭素、水素ならびに、分散剤２種にそれぞれに窒素、硫黄が含有されている場合は、さらに窒素、硫黄を分析し、上記した計算式によって、カーボンブラックを定量するものであり、カーボンブラックと分散剤と有機溶剤を含む組成物中のカーボンブラックの含有率を精確に定量することができる。
【００４０】
このため、本発明のカーボンブラックの定量方法は、インクや塗料などの工業製品の生産の品質管理に好適に用いることができる。
【実施例】
【００４１】
本発明のカーボンブラックの定量方法の精確さを調査するため、下記の表１に示す模擬組成物１、模擬組成物２および模擬組成物３を作製し、各組成物の試料量を０．２ｇ、０．３ｇおよび０．４ｇと重さを変えて、それぞれ、採取したのち、以下の条件を用いて、各組成物中のカーボンブラックの定量分析を実施した。
【００４２】
【表１】
2008058041.tif 000002
【００４３】
（実施例１）
沸点１３０付近の酢酸ブチル（沸点１２７°Ｃ）を有機溶剤に使用し、模擬組成物１、模擬組成物２を作製し、カーボンブラックの仕込み値を変えたときの定量値の正確さを調査した。
【００４４】
模擬組成物１を２０ｍｌのガラス瓶に採取して蓋をし、ＭＥＴＴＬＥＲ社製のＡＢ−２０４−Ｓ型の電子天秤で試料量を秤量した。
【００４５】
引き続き、秤量した模擬組成物１の入ったガラス瓶の蓋を外して、１００ｍｌのビーカーに移入し、ビーカーの上部を時計皿で蓋をした状態で真空デシケータ内に移し、日立製作所製のＵＳＷ−２０型の真空ポンプを用いて、３時間、減圧乾燥し、模擬試料１中の有機溶剤を完全に揮散除去した後、得られた乾燥物を上記電子天秤で秤量した。
【００４６】
更に前記乾燥物および模擬組成物１に含有する分散剤単体を、それぞれ、１ｍｇ錫箔コンテナに採取して、Ｓａｒｔｏｒｉｕｓ社製のマイクロ天秤で秤量したのち、下記の表２に示す条件を用いて、ＴｈｅｍｏＦｉｎｎｉｇａｎ社製のＦｌａｓｈＥＡ１１１２型の有機元素分析装置で前記乾燥物中の炭素と水素を分析し、上記式１〜式３を用いて模擬組成物1中のカーボンブラックの定量値を算出した。
【００４７】
【表２】
2008058041.tif 000003
【００４８】
同様に、模擬組成物２についても上記操作を行い、定量分析を行った。
有機元素分析を行い、上記式１〜式３を用いて得られたカーボンブラックの定量分析結果を下記の表３に示す。
【００４９】
【表３】
2008058041.tif 000004
【００５０】
（実施例２）
分散剤に、表１に示す窒素系と硫黄系の２成分の分散剤使用した模擬組成物３を作製し、定量値の正確さを調査した。
【００５１】
模擬組成物３を２０ｍｌのガラス瓶に採取して蓋をし、ＭＥＴＴＬＥＲ社製のＡＢ−２０４−Ｓ型の電子天秤で試料量を秤量した。
【００５２】
引き続き、秤量した模擬組成物３の入ったガラス瓶の蓋を外して、１００ｍｌのビーカーに移入し、ビーカーの上部を時計皿で蓋をした状態で真空デシケータ内に移入し、日立製作所製のＵＳＷ−２０型の真空ポンプを用いて、３時間、減圧乾燥し、模擬試料１中の有機溶剤を完全に揮散除去した後、得られた乾燥物を上記電子天秤で秤量した。
更に前記乾燥物、模擬組成物３に含有する窒素系分散剤および硫黄系分散剤単体を、それぞれ、１ｍｇ錫箔コンテナに採取して、Ｓａｒｔｏｒｉｕｓ社製のマイクロ天秤で秤量したのち、表２に示す条件を用いて、ＴｈｅｍｏＦｉｎｎｉｇａｎ社製のＦｌａｓｈＥＡ１１１２型の有機元素分析装置で炭素、窒素および硫黄を分析し、上記式4〜式７を用いて模擬組成物３中のカーボンブラックの定量値を算出した。その結果を表３に示す。
（比較例）
従来法のカーボンブラックの定量値の精確さを調査するため、模擬組成物１を減圧乾燥したものを１０ｍｇ採取したのち、下記の表４に示す条件で熱重量分析法による定量分析を実施した。その結果を下記の表５に示す。
【００５３】
【表４】
2008058041.tif 000005
【００５４】
【表５】
2008058041.tif 000006
【００５５】
「評価」
表３は、各模擬組成物中のカーボンブラックの定量結果である。各組成物のＲＳＤ値から、各模擬組成物の定量精度は１％以下であり、また、各組成物のカーボンブラックの平均値と各組成物の仕込み値とが良く一致しており、良好な結果が得られた。したがって、本発明のカーボンブラックの定量方法は、極めて精確な定量方法であることが分かる。
【００５６】
表５は、従来法で模擬組成物１中のカーボンブラックを定量した結果である。模擬組成物１のＲＳＤ値が１．４７％であり、従来法の定量精度は、本発明のカーボンブラックの定量精度よりも悪いことが分かった。また、模擬組成物１の仕込み値（９．００ｗｔ％）に対して、実測値が（平均値：９．９２ｗｔ％）であり、仕込み値よりも１割程度、高めの値を示すことが分かった。これは、分散剤の熱分解条件では、分散剤が完全に分解せずにカーボンブラックと一緒に残存しているため、高めの値を示したと考えられる。したがって、従来法では、上記組成物を精確に定量することが困難であることが分かる。